Podtech/llm-jp-corpus-v4-ja_patent huggingface dataset:
【手続補正書】
【提出日】平成21年2月18日(2009.2.18)
【手続補正１】
【補正対象書類名】特許請求の範囲
【補正対象項目名】全文
【補正方法】変更
【補正の内容】
【特許請求の範囲】
【請求項１】
外箱と、
この外箱内に配設され、吸気口及び排気口を有する水槽と、
この水槽内に回転可能に配設され、通水及び通風が可能な多数の孔を有すると共に洗濯物を収容する回転槽と、
一端部が前記水槽の吸気口に接続されると共に他端部が前記排気口に接続された循環送風路と、
前記水槽内の空気を前記循環送風路を通して循環させる送風機と、
前記循環送風路を通る空気を加熱する加熱手段と、
前記循環送風路を通る空気中の水分を凝縮して除湿する除湿手段と、
前記循環送風路中に設けられ、当該循環送風路を通る空気中のリントを捕獲するリントフィルタとこのリントフィルタを内部に配置するフィルタケースとから構成されるリント捕獲器とを備え、
前記リント捕獲器は、前記水槽の上部と前記外箱の天板部との間の隙間に位置させ、かつ前記天板部側に固定したことを特徴とする洗濯乾燥機。
【請求項２】
リントフィルタは、これのリント捕獲面が、リント捕獲器内を流れる空気の流れに対して傾斜する状態で配置されていることを特徴とする請求項１記載の洗濯乾燥機。
【請求項３】
リント捕獲器は、水槽側と可撓性ダクトを介して接続されていることを特徴とする請求項１または２記載の洗濯乾燥機。
【請求項４】
リント捕獲器の空気流の入口は一つで、出口は複数あることを特徴とする請求項１〜３のいずれかに記載の洗濯乾燥機。
【請求項５】
リント捕獲器の空気流の入口及び出口は共に、水槽に設けられた水槽カバーに接続されていることを特徴とする請求項１〜４のいずれかに記載の洗濯乾燥機。
【請求項６】
リント捕獲器のフィルタケースは上部に開口部を有する矩形容器状をなし、このフィルタケース内に配置されたリントフィルタは、通気が可能な網状をなすものにより板状に形成されていて、前記リント捕獲器は、前記フィルタケースの外周部に設けたボス部にねじをねじ込むことにより、外箱の天板部側に固定されていることを特徴とする請求項１〜５のいずれかに記載の洗濯乾燥機。
【請求項７】
リント捕獲器のフィルタケースは上部に開口部を有する矩形容器状をなし、前記フィルタケースの開口部は外箱の天板部に形成された開口部に対応していて、前記フィルタケース内に配置されたリントフィルタは、通気が可能な網状をなすものにより袋状に形成されていて、前記リント捕獲器は、前記フィルタケースの外周部に設けたボス部にねじをねじ込むことにより、外箱の天板部側に固定されていることを特徴とする請求項１〜５のいずれかに記載の洗濯乾燥機。
【請求項８】
フィルタケースの開口部を開閉するフィルタカバーを備え、このフィルタカバーは、外箱の天板部側に取り付けたことを特徴とする請求項１〜７のいずれかに記載の洗濯乾燥機。
【請求項９】
請求項１〜８のいずれかに記載の洗濯乾燥機を組み立てる組立方法であって、
水槽とリント捕獲器を予め組み付けた状態で、これらを外箱内へ挿入して前記リント捕獲器を前記外箱の天板部側に固定するようにしたことを特徴とする洗濯乾燥機の組立方法。
【手続補正２】
【補正対象書類名】明細書
【補正対象項目名】０００６
【補正方法】変更
【補正の内容】
【０００６】
上記した目的を達成するために、本発明の洗濯乾燥機は、外箱と、この外箱内に配設され、吸気口及び排気口を有する水槽と、この水槽内に回転可能に配設され、通水及び通風が可能な多数の孔を有すると共に洗濯物を収容する回転槽と、一端部が前記水槽の吸気口に接続されると共に他端部が前記排気口に接続された循環送風路と、前記水槽内の空気を前記循環送風路を通して循環させる送風機と、前記循環送風路を通る空気を加熱する加熱手段と、前記循環送風路を通る空気中の水分を凝縮して除湿する除湿手段と、前記循環送風路中に設けられ、当該循環送風路を通る空気中のリントを捕獲するリントフィルタとこのリントフィルタを内部に配置するフィルタケースとから構成されるリント捕獲器とを備え、前記リント捕獲器は、前記水槽の上部と前記外箱の天板部との間の隙間に位置させ、かつ前記天板部側に固定したことを特徴とする。
【手続補正３】
【補正対象書類名】明細書
【補正対象項目名】００３１
【補正方法】変更
【補正の内容】
【００３１】
図面中、１は外箱、１ａは天板部、４は水槽、５は水槽カバー、８は吸気口、９は排気口、１２はドラム（回転槽）、１３は孔、１７は可撓性ダクト、１８はリント捕獲器、１９はフィルタケース、２０は開口部、２１はリントフィルタ、２２はフィルタカバー、２４はボス部、２５は可撓性ダクト、２８は隙間、２９はねじ、３０は開口部、３６は循環送風路、３８は送風機、４０はヒートポンプ機構、４１は凝縮器（加熱手段）、４２は蒸発器（除湿手段）、４３は圧縮機、５０はリントフィルタを示す。
【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
遊技機ホールのパチンコ機用島設備に設置可能に方形枠状に形成された外枠の前側に、本体枠ヒンジ機構によって本体枠が開閉可能に装着され、前記本体枠の略中央部に、枠状をなす遊技ユニット装着部が設けられ、前記遊技ユニット装着部に、その前側開口部から遊技ユニットが着脱交換可能に嵌込まれて装着され、前記本体枠の前側に、扉体ヒンジ機構によって扉体が開閉可能に装着された遊技機であって、
前記遊技ユニットは、周壁と後壁を有して前方に開口する箱形状に形成された収納ボックスと、図柄を変動表示する機械式図柄表示装置と、制御基板を視認可能に収納する制御基板ボックスと、遊技の演出表示をする演出表示装置と、を少なくとも備えて一つにユニット化され、
前記機械式図柄表示装置及び前記制御基板ボックスは前記収納ボックス内に収納され、
前記演出表示装置は、その表示面を前向きにして一側部がヒンジ機構によって前記収納ボックスの前側開口部の一側部に開閉可能に装着され、
かつ前記演出表示装置が閉じ位置に配置されたときには前記制御基板ボックスの前側が前記演出表示装置によって覆われ、前記演出表示装置が前記ヒンジ機構のヒンジ中心を支点として前方に開かれたときには前記制御基板ボックスの前側が前記収納ボックスの前側開口部から視認可能に、前記収納ボックス内に前記制御基板ボックスが収納されていることを特徴とする遊技機。
【請求項２】
請求項１に記載の遊技機であって、
制御基板ボックスは、その制御基板の表面が前方に指向しかつ演出表示装置と並行状をなして機械式図柄表示装置の上面又は下面に支持体によって起立状態に支持されていることを特徴とする遊技機。
【請求項３】
請求項１又は２に記載の遊技機であって、
演出表示装置と収納ボックスとの間には、前記演出表示装置を閉鎖位置で封印する封印手段が設けられていることを特徴とする遊技機。
【請求項４】
請求項１〜３のいずれか一項に記載の遊技機であって、
扉体と演出表示装置とは、遊技機の一側部において所定距離を隔てるそれぞれのヒンジ機構のヒンジ中心を支点として同方向に開閉可能に設けられ、
前記演出表示装置と前記扉体との間には、前記扉体の開閉動作に連動してその開閉方向と同方向に前記演出表示装置を開閉動作させる開閉連動機構が設けられていることを特徴とする遊技機。
【手続補正書】
【提出日】平成20年11月13日(2008.11.13)
【手続補正１】
【補正対象書類名】明細書
【補正対象項目名】００３９
【補正方法】変更
【補正の内容】
【００３９】
図５はステップＳ７において、最適露出決定手段１７ｃが決定する眼底Ｅｒの蛍光輝度値から、撮影用光源４の発光量及び撮像素子１３の増幅率を求める方法の一例を示している。本実施例では、よりノイズの少ない高精細な撮影画像を検者に提供することを目的としている。従って、動画観察時に観察光量制御部２４が行った制御と同様に、静止画像を得るための撮像素子１３の増幅率と撮影用光源４の光量設定では、撮影光量の設定値での調光を優先する。これにより、撮影光量のみの調整では制御不可能な眼底輝度において、併せて増幅率の制御を行っている。
【手続補正書】
【提出日】平成20年11月12日(2008.11.12)
【手続補正１】
【補正対象書類名】特許請求の範囲
【補正対象項目名】請求項４
【補正方法】変更
【補正の内容】
【請求項４】
上記サーバーには、第三者管理コンピュータを接続し、サーバーがＩＤに対応付けて記憶した情報を第三者管理コンピュータに送信するとともに、第三者管理コンピュータは、サーバーから送信された、ＩＤに対応付けられた情報を受信して記憶する機能と、第三者管理コンピュータに直接入力された、ＩＤに対応付けられた個人情報を受信する機能と、第三者管理コンピュータに直接入力されたＩＤと同一のＩＤが、記憶しているＩＤの中に存在するかを検索する機能と、同一のＩＤを記憶していると判断したとき、そのＩＤに対応付けて記憶している情報と、そのＩＤに対応付けて入力された個人情報とを関連付けて記憶する機能とを備えた請求項１〜３のいずれか１に記載の会員カード発行システム。
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
プロテインキナーゼA触媒サブユニットをコードする遺伝子が変異された非ヒト動物。
【請求項２】
プロテインキナーゼA触媒サブユニットをコードする遺伝子がDC0である請求項１記載の非ヒト動物。
【請求項３】
加齢性記憶障害が抑制又は改善された請求項１記載の非ヒト動物。
【請求項４】
遺伝子変異によりプロテインキナーゼAの活性が野生型の活性の５０〜６０％に低下した、請求項１記載の非ヒト動物。
【請求項５】
非ヒト動物がショウジョウバエである請求項１記載の非ヒト動物。
【請求項６】
加齢性記憶障害を抑制又は改善する物質の標的となる物質を同定する方法であって、以下の工程：
（a）請求項1〜５のいずれか1項に記載の非ヒト動物由来の遺伝子又はタンパク質及び野生型非ヒト動物由来の遺伝子又はタンパク質の発現パターンをそれぞれ測定し、
（b）得られた発現パターンを比較することにより、加齢性記憶障害を抑制又は改善する物質の標的となる物質を同定すること
を含む、前記方法。
【請求項７】
請求項１〜５のいずれか1項に記載の非ヒト動物由来のタンパク質及び野生型非ヒト動物由来のタンパク質を用いてリン酸化の有無又はレベルを測定・比較し、得られる測定結果から請求項1〜５のいずれか1項に記載の非ヒト動物でリン酸化が抑制されたタンパク質を同定することを特徴とする、加齢性記憶障害を抑制又は改善する物質の標的となる物質の同定方法。
【手続補正書】
【提出日】平成20年11月13日(2008.11.13)
【手続補正１】
【補正対象書類名】特許請求の範囲
【補正対象項目名】全文
【補正方法】変更
【補正の内容】
【特許請求の範囲】
【請求項１】
ペットを収容するための座席箱と、
当該座席箱後部に開閉自在に取り付けられ、開かれた状態においてはペットを前記座席箱へ進入させるための踏み台として機能し、閉じた状態においては移動中のペット脱落防止として機能し、かつ、ペットの尻尾を出すためのくりぬき部が設けられたステップ板と、前記くりぬき部から出た尻尾が地面に触れることを防止し、前記ステップ板が開かれた状態においては、前記ステップ板と共にペットを進入させるための踏み台として機能する尻尾置き部と、を備え、
前記ステップ板は、ステップ板が開かれたときの地面側に車輪を有すると共に、ステップ板が開かれた状態において、さらに上方から加重が掛かったときは当該車輪の回転を抑制する回転抑制手段を有することを特徴とするペット用手押車。
【請求項２】
前記車輪はゴム製のタイヤを有し、
前記回転抑制手段は、前記ステップ板に加重が掛けられることによって、ステップ板と前記車輪のゴム製のタイヤが接触することによって回転を抑制することを特徴とする請求項１記載のペット用手押車。
【請求項３】
前記座席箱は地上１０〜１５ｃｍの位置に設けられ、前記座席箱底部と前記ステップ板は前記ステップ板が開かれた状態において２〜８ｃｍの段差を有することを特徴とする請求項１または２に記載のペット用手押車。
【請求項４】
前記座席箱の前方を塞ぐことのできる開閉自在のカゴを備え、当該カゴを閉じた状態でペットを後方から乗り込ませ、当該カゴを開けた状態でペットを前方から降ろすように構成されていることを特徴とする請求項１乃至３のいずれか一に記載のペット用手押車。
【手続補正２】
【補正対象書類名】明細書
【補正対象項目名】００３７
【補正方法】変更
【補正の内容】
【００３７】
次にこの構成の作用を説明する。
愛犬がステップ板６に足を掛けると、図８（ｂ）に示すように斜め下前方の方向に力が加わる。すなわち、ステップ板６を介して手押車を前方に押し出そうとする力が加わるが、上述の構成により、車輪がステップ板６に接触して、車輪の回転が抑制されるため、前方に押し出される力が減殺される。
【手続補正３】
【補正対象書類名】明細書
【補正対象項目名】００４７
【補正方法】変更
【補正の内容】
【００４７】
なお、犬の大きさに合わせて座席箱の大きさを変えることによって多種の犬に対応可能にし、飛び出す危険のある犬には格子状ネットを取り付けるようにすると良い。図１４〜図１７に座席箱４にカゴ３４を設けた実施例を示す。このカゴ３４は、このカゴの上辺両側手前（手押車１を基準とした場合は後方）に取り付けられたアーム３７を介してＡ点でハンドルフレーム２３に取り付けられており、また、カゴ３４の上辺両側のほぼ中間点より紐３５を引き出し、飼い主が紐を引っ張ったり、緩めたりすることによって、Ａ点を支点として、カゴが開閉制御できるようになっている。このようにすれば、愛犬を手押車１に乗せるときは、図１４に示すように紐を緩めて、カゴで座席箱４の前方を塞ぐようにして乗り込ませる。図１５は、愛犬が手押車１の座席箱４に乗り込み、飼い主が、ステップ板６を閉じている様子を示した図である。公園等で愛犬を放つときは、図１６に示すように紐を引いてカゴを開けるようにすれば、確実かつ飼い主に負担を掛けることなく愛犬を手押車１に載せて目的地まで散歩ないし移動することができる。図１７は、愛犬がカゴ３４の下をくぐって完全に手押車１から出たときの様子を示す図である。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
行列形態に配列されていて、各々第１及び第２副画素を含む複数の画素を含む表示装置の駆動装置であって、
デジタルデータを記憶するメモリ、
前記デジタルデータを読み取って、読み取った前記デジタルデータと共にクロック信号及び少なくとも一つの選択信号を出力する制御部、そして
集積回路からなって、前記制御部からの前記デジタルデータを受信して階調基準電圧の集合を生成する階調電圧生成部を含み、
前記階調電圧生成部は、
前記デジタルデータを記憶する第１及び第２レジスター、
前記第１及び第２レジスターからの出力を受信する複数のマルチプレクサーを含む選択部、
前記マルチプレクサーに各々連結されている複数のデジタルアナログ変換器を含む変換部を含む、表示装置の駆動装置。
【請求項２】
前記マルチプレクサーには、前記第１及び第２レジスターからの一対の出力が入力される、請求項１に記載の表示装置の駆動装置。
【請求項３】
前記デジタルアナログ変換器に連結されているバッファーをさらに含む、請求項２に記載の表示装置の駆動装置。
【請求項４】
前記選択信号は前記マルチプレクサーに入力される、請求項３に記載の表示装置の駆動装置。
【請求項５】
前記マルチプレクサーには、前記第１及び第２レジスターからの少なくとも二対以上の出力が入力される、請求項１に記載の表示装置の駆動装置。
【請求項６】
前記デジタルアナログ変換器に連結されている少なくとも二つのサンプル及びホールド回路をさらに含む、請求項５に記載の表示装置の駆動装置。
【請求項７】
前記選択信号のうちの一つは前記マルチプレクサーに入力され、残りは前記サンプル及びホールド回路に入力される、請求項６に記載の表示装置の駆動装置。
【請求項８】
前記階調基準電圧の集合を受信して複数の階調電圧を生成し、画像信号に該当する前記階調電圧をデータ信号として前記第１及び第２副画素に各々印加するデータ駆動部をさらに含む、請求項４または７に記載の表示装置の駆動装置。
【請求項９】
行列形態に配列されていて、各々第１及び第２副画素を含む複数の画素を含む表示装置の駆動装置であって、
デジタルデータを記憶するメモリ、
前記デジタルデータを読み取って、読み取った前記デジタルデータと共にクロック信号及び少なくとも一つの選択信号を出力する制御部、そして
集積回路からなって、前記制御部からの前記デジタルデータを受信して階調基準電圧の集合を生成する階調電圧生成部を含み、
前記階調電圧生成部は、
複数の第１階調基準電圧を生成する抵抗列、
前記デジタルデータを記憶するレジスター、
前記レジスターからの出力を受信する複数のデジタルアナログ変換器を含む変換部、そして
前記デジタルアナログ変換器及び前記抵抗列に連結されていて、前記デジタルアナログ変換器にはスイッチング素子を通じて連結されている演算増幅器を含む、表示装置の駆動装置。
【請求項１０】
前記選択信号は前記スイッチング素子に入力される、請求項９に記載の表示装置の駆動装置。
【請求項１１】
前記階調電圧生成部は、前記スイッチング素子が遮断される場合には、前記第１階調基準電圧を出力し、前記スイッチング素子が導通される場合には、前記第１階調基準電圧と所定の値の差がある前記デジタルアナログ変換器の出力を加えて、第２階調基準電圧を出力する、請求項１０に記載の表示装置の駆動装置。
【請求項１２】
前記階調基準電圧の集合を受信して複数の階調電圧を生成し、画像信号に該当する前記階調電圧をデータ信号として前記第１及び第２副画素に各々印加するデータ駆動部をさらに含む、請求項１１に記載の表示装置の駆動装置。
【手続補正２】
【補正対象書類名】明細書
【補正対象項目名】００１８
【補正方法】削除
【補正の内容】
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
画像データに基づいて記録媒体に画像形成する画像形成手段と、
章分け情報を設定する設定手段と、
番号をカウントするカウンタと、
番号以外のテキストを入力する入力手段と、
前記章分け情報および前記テキストを記憶するメモリと、
前記メモリに記憶された前記テキストと前記カウンタによりカウントされた番号とを組み合わせてテキストデータとし、前記画像データに前記テキストデータを画像として合成して合成画像データを生成し、前記章分け情報に基づいて、章先頭ページを前記記録媒体の表面にして前記合成画像データを含む画像データを前記画像形成手段に両面画像形成させる制御手段と、
を備えることを特徴とする画像形成装置。
【請求項２】
前記制御手段は、全ページの画像データに、前記テキストデータを画像として合成して全ページの合成画像データを生成し、当該全ページの合成画像データを前記画像形成手段に章分けして画像形成させることを特徴とする請求項１に記載の画像形成装置。
【請求項３】
前記メモリは、前記テキストを記憶する第１の記憶領域と、前記番号を記憶する第２の記憶領域を有することを特徴とする請求項１または２に記載の画像形成装置。
【請求項４】
前記入力手段は、テキストの操作入力を受け付けて入力することを特徴とする請求項１から３のいずれか一項に記載の画像形成装置。
【請求項５】
前記入力手段は、テキストを外部機器から受信して入力することを特徴とする請求項１から４のいずれか一項に記載の画像形成装置。
【請求項６】
前記番号は、章番号、章ページ番号及び全体ページ番号の少なくとも一つであることを特徴とする請求項１から５のいずれか一項に記載の画像形成装置。
【手続補正２】
【補正対象書類名】明細書
【補正対象項目名】００２２
【補正方法】変更
【補正の内容】
【００２２】
上記の課題を解決するために、請求項１に記載の発明は、
画像データに基づいて記録媒体に画像形成する画像形成手段と、
章分け情報を設定する設定手段と、
番号をカウントするカウンタと、
番号以外のテキストを入力する入力手段と、
前記章分け情報および前記テキストを記憶するメモリと、
前記メモリに記憶された前記テキストと前記カウンタによりカウントされた番号とを組み合わせてテキストデータとし、前記画像データに前記テキストデータを画像として合成して合成画像データを生成し、前記章分け情報に基づいて、章先頭ページを前記記録媒体の表面にして前記合成画像データを含む画像データを前記画像形成手段に両面画像形成させる制御手段と、
を備えることを特徴とする画像形成装置である。
【手続補正３】
【補正対象書類名】明細書
【補正対象項目名】００２３
【補正方法】変更
【補正の内容】
【００２３】
請求項２に記載の発明は、請求項１に記載の画像形成装置において、
前記制御手段は、全ページの画像データに、前記テキストデータを画像として合成して全ページの合成画像データを生成し、当該全ページの合成画像データを前記画像形成手段に章分けして画像形成させることを特徴とする。
【手続補正４】
【補正対象書類名】明細書
【補正対象項目名】００２４
【補正方法】変更
【補正の内容】
【００２４】
請求項３に記載の発明は、請求項１又は２に記載の画像形成装置において、
前記メモリは、前記テキストを記憶する第１の記憶領域と、前記番号を記憶する第２の記憶領域を有することを特徴とする。
【手続補正５】
【補正対象書類名】明細書
【補正対象項目名】００２７
【補正方法】変更
【補正の内容】
【００２７】
請求項６に記載の発明は、請求項１から５のいずれか一項に記載の画像形成装置において、前記番号は、章番号、章ページ番号及び全体ページ番号の少なくとも一つであることを特徴とする。
【手続補正６】
【補正対象書類名】明細書
【補正対象項目名】００２８
【補正方法】削除
【補正の内容】
【手続補正７】
【補正対象書類名】明細書
【補正対象項目名】００３０
【補正方法】変更
【補正の内容】
【００３０】
請求項２に記載の発明によれば、章ごと、章のページごとに全ページに亘り視認性の高い記録媒体を出力することができる。
【手続補正８】
【補正対象書類名】明細書
【補正対象項目名】００３１
【補正方法】変更
【補正の内容】
【００３１】
請求項３に記載の発明によれば、メモリに記憶された番号以外のテキストと番号に基づいて、番号以外のテキストと番号を組み合わせてテキストデータとして合成画像データを生成できる。
【手続補正９】
【補正対象書類名】明細書
【補正対象項目名】００３４
【補正方法】変更
【補正の内容】
【００３４】
請求項６に記載の発明によれば、前記番号は、章番号、章ページ番号及び全体ページ番号の少なくとも一つを付与できる。
【手続補正１０】
【補正対象書類名】明細書
【補正対象項目名】００３５
【補正方法】削除
【補正の内容】
【手続補正１１】
【補正対象書類名】図面
【補正対象項目名】図５
【補正方法】変更
【補正の内容】
【図５】
2007025797.tif 000001
【手続補正書】
【提出日】平成21年7月6日(2009.7.6)
【手続補正１】
【補正対象書類名】特許請求の範囲
【補正対象項目名】請求項５
【補正方法】変更
【補正の内容】
【請求項５】
通信ネットワークを介して接続された楽曲提供サーバが所有する楽曲データをユーザ端末の指示に応じて自動演奏装置に配信する自動演奏システムにおける楽曲提供サーバにおいて実行されるプログラムであって、コンピュータに、
前記自動演奏装置のＩＤ情報を登録し、該登録されたＩＤ情報と該ＩＤ情報に対応する自動演奏装置に提供可能な楽曲データとを対応付けた楽曲管理データベースを作成する手順と、
前記ユーザ端末のアクセスを受け付ける手順と、
前記楽曲管理データベースを参照して、前記ユーザ端末から送信されたＩＤ情報に対応する自動演奏装置に提供可能な楽曲データのリストを作成し、該作成したリストを該ユーザ端末に送信する手順と、
前記ユーザ端末において選択された楽曲データを該ユーザ端末から送信されたＩＤ情報に対応する自動演奏装置に対して配信する手順と
を実行させるためのプログラム。
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
画像を表示するパネルアセンブリーと、
前記パネルアセンブリーに光を供給する光源ユニットと、
前記パネルアセンブリーと前記光源ユニットとの間に配置された集光部材と、
前記パネルアセンブリー、光源ユニット、及び集光部材を固定支持する支持部材と、を含み、
前記集光部材は、
厚さを有する板状のボディー部と、前記ボディー部の板面の中で一つ以上の板面に形成され、第１方向及び当該第１方向と交差する第２方向に各々配列された複数の単位集光部と、を含む表示装置。
【請求項２】
前記第１方向は前記単位集光部の長さ方向であり、前記第２方向は前記単位集光部の幅方向である、請求項１に記載の表示装置。
【請求項３】
前記ボディー部の厚さは１〜５ｍｍである、請求項１に記載の表示装置。
【請求項４】
前記複数の単位集光部の中で、前記第１方向に沿って配列された単位集光部は非集光領域を介して互いに離隔されている、請求項２に記載の表示装置。
【請求項５】
前記非集光領域は断面が不規則に形成されている、請求項４に記載の表示装置。
【請求項６】
前記複数の単位集光部の中で、前記第１方向に沿って配列された単位集光部は前記第２方向に延長された任意の線を境界にずれて配列されている、請求項２に記載の表示装置。
【請求項７】
前記単位集光部の高さ及び幅が前記第１方向の両端に向かって次第に減少する、請求項２に記載の表示装置。
【請求項８】
前記第１方向に沿って配列される単位集光部は、前記第２方向においては一部重複して配列されている、請求項７に記載の表示装置。
【請求項９】
前記単位集光部は、前記第１方向の両端が対向するように曲がっている、請求項８に記載の表示装置。
【請求項１０】
前記単位集光部の第２方向の断面は多角形またはラウンド形である、請求項２に記載の表示装置。
【手続補正２】
【補正対象書類名】明細書
【補正対象項目名】発明の名称
【補正方法】変更
【補正の内容】
【発明の名称】表示装置
【手続補正３】
【補正対象書類名】明細書
【補正対象項目名】０００１
【補正方法】変更
【補正の内容】
【０００１】
本発明は、集光部材を備えた表示装置に関し、より詳しくは、通過する光の輝度特性をさらに向上させた集光部材を備えた表示装置に関する。
【手続補正４】
【補正対象書類名】明細書
【補正対象項目名】０００９
【補正方法】変更
【補正の内容】
【０００９】
そこで、本発明は上述した問題点を解決するためのものであって、その目的は、通過する光の輝度特性をさらに向上させた集光部材を備えた表示装置を提供することにある。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】変更
【補正の内容】
【００３７】
上述した目的を達成するための本発明による表示装置は、画像を表示するパネルアセンブリーと、前記パネルアセンブリーに光を供給する光源ユニットと、前記パネルアセンブリーと前記光源ユニットとの間に配置された集光部材と、前記パネルアセンブリー、光源ユニット、及び集光部材を固定支持する支持部材と、を含み、前記集光部材は、厚さを有する板状のボディー部と、前記ボディー部の板面の中で一つ以上の板面に形成され、第１方向及び前記第１方向と交差する第２方向に各々配列された複数の単位集光部と、を含む。
【手続補正３３】
【補正対象書類名】明細書
【補正対象項目名】００４１
【補正方法】削除
【補正の内容】
【手続補正３４】
【補正対象書類名】明細書
【補正対象項目名】００４８
【補正方法】削除
【補正の内容】
【手続補正書】
【提出日】平成21年7月8日(2009.7.8)
【手続補正１】
【補正対象書類名】明細書
【補正対象項目名】０１１２
【補正方法】変更
【補正の内容】
【０１１２】
実施例１〜８の電子写真感光体を使用した場合の画像品質を、比較例１および２と比較して評価した。印刷テストは同じ条件（例えば、２８℃、相対湿度８５％）の下の印刷機で行った。初期の画質と５，０００枚の印刷を行った後の画質を分析した。結果は以下の表３に示した。
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
上面と下面とを含む硬質基板、
前記硬質基板の上面に配置された第１フレキシブル基板、
開口部を含み、前記第１フレキシブル基板の上に配置された第２フレキシブル基板、及び、
前記硬質基板の下面に配置された第３フレキシブル基板を有する表示装置製造用モジュール。
【請求項２】
第２フレキシブル基板の開口部にフレキシブル表示基板が収納されており、
前記硬質基板の熱膨張係数が前記フレキシブル表示基板の熱膨張係数より小さく、
前記第１から第３フレキシブル基板の熱膨張係数がいずれも前記フレキシブル表示基板の熱膨張係数より大きい請求項１に記載の表示装置製造用モジュール。
【請求項３】
前記第１から第３フレキシブル基板がポリエーテルエーテルケトン（ＰＥＥＫ）系物質を含む請求項１又は２に記載の表示装置製造用モジュール。
【請求項４】
前記硬質基板、前記第１フレキシブル基板、前記第２フレキシブル基板及び前記第３フレキシブル基板が接着剤で互いに接着されている請求項１から３のいずれか１つに記載の表示装置製造用モジュール。
【請求項５】
前記第１フレキシブル基板の厚さが前記第２フレキシブル基板の厚さ以下である請求項１から４のいずれか１つに記載の表示装置製造用モジュール。
【請求項６】
前記第１フレキシブル基板と前記フレキシブル表示基板との隙間及び前記第３フレキシブル基板と前記フレキシブル表示基板との隙間では内圧が大気圧より低い請求項１から５のいずれか１つに記載の表示装置製造用モジュール。
【請求項７】
硬質基板の上面に第１フレキシブル基板を接着する段階、
硬質基板の下面に第２フレキシブル基板を接着する段階、及び、
開口部を含む第３フレキシブル基板を前記第１フレキシブル基板の上に接着する段階を有する表示装置製造用モジュールの製造方法。
【請求項８】
前記第１から第３フレキシブル基板がＰＥＥＫ系物質を含む請求項７に記載の表示装置製造用モジュールの製造方法。
【請求項９】
上面と下面とを含む硬質基板、
前記上面に配置された第１フレキシブル基板、
前記下面に配置された第２フレキシブル基板、及び、
開口部を含み、前記第１フレキシブル基板の上に配置された第３フレキシブル基板を有する表示装置製造用モジュール、の前記開口部の内側にフレキシブル表示基板を配置する段階、
前記フレキシブル表示基板と前記第３フレキシブル基板との間の境界に密封部材を形成する段階、
前記フレキシブル表示基板に表示素子を形成する段階、並びに、
前記密封部材を切断して前記フレキシブル表示基板を前記表示装置製造用モジュールから分離する段階を有する表示装置の製造方法。
【請求項１０】
前記密封部材を形成する段階が、前記フレキシブル表示基板と前記第１フレキシブル基板との隙間及び前記フレキシブル表示基板と前記第３フレキシブル基板との隙間から空気を除去する段階を含む請求項９に記載の表示装置の製造方法。
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
基板上に形成される複数のゲートラインと、
前記ゲートラインと交差する複数のデータラインと、
前記ゲートライン及びデータラインと各々接続する複数の画素用トランジスタと、
前記ゲートライン及びデータラインの交差によって画定された領域内に形成され、前記  画素用トランジスタ各々と接続される複数の画素電極と、
前記複数のデータラインを駆動するために形成される複数個のデータ検査用トランジスタとを具備し、
前記複数のデータ検査用トランジスタは駆動集積回路の実装領域内に形成されることを特徴とする液晶表示パネル。
【請求項２】
前記実装領域は、駆動集積回路チップが収容されるように形成されることを特徴とする請求項１に記載の液晶表示パネル。
【請求項３】
前記複数個のデータ検査用トランジスタは、前記液晶表示パネルに駆動集積回路が実装される場合、ターンオフされることを特徴とする請求項１に記載の液晶表示パネル。
【請求項４】
前記複数個のデータ検査用トランジスタは、前記データラインを駆動するために形成される前記駆動集積回路が前記液晶表示パネルに実装される場合、ターンオフされることを特徴とする請求項１に記載の液晶表示パネル。
【請求項５】
前記複数個のデータ検査用トランジスタは、前記駆動集積回路が前記液晶表示パネルに固定されるとき、ターンオフされることを特徴とする請求項１に記載の液晶表示パネル。
【請求項６】
前記複数個のデータ検査用トランジスタは、前記データライン中オッド（ｏｄｄ）データラインに接続されるオッドデータ検査用トランジスタと、
前記データライン中イブン（ｅｖｅｎ）データラインに接続されたイブンデータ検査用トランジスタとを含むことを特徴とする請求項１に記載の液晶表示パネル。
【請求項７】
前記ゲートラインと接続される複数のゲート検査トランジスタをさらに具備することを特徴とする請求項１に記載の液晶表示パネル。
【請求項８】
前記ゲートラインを順次に駆動させるために前記基板に形成されるゲート駆動部をさらに具備することを特徴とする請求項１に記載の液晶表示パネル。
【請求項９】
基板上に形成される複数のゲートラインと、前記ゲートラインと交差する複数のデータラインと、前記ゲートライン及びデータラインと各々接続される複数の画素用トランジスタと、前記ゲートライン及びデータラインの交差によって画定された領域内に形成され前記画素用トランジスタ各々と接続される複数の画素電極と、前記複数のデータラインを駆動するために形成された複数個のデータ検査用トランジスタとを具備する液晶表示パネルを備える段階を含み、
前記複数のデータ検査用トランジスタは駆動集積回路の実装領域内に形成されることを特徴とする液晶表示パネルの検査方法。
【請求項１０】
前記液晶表示パネルに画像が具現される間、前記複数のデータ検査用トランジスタは、非活性化（ｄｅａｃｔｉｖａｔｅ）されることを特徴とする請求項9に記載の液晶表示パネルの検査方法。
【請求項１１】
前記液晶表示パネルを備える段階は、前記データ検査用トランジスタを形成する段階を含み、
前記データ検査用トランジスタを形成する段階は、前記データライン中オッドデータラインに接続されるオッドデータ検査用トランジスタを形成する段階と、
前記データライン中イブンデータラインに接続されるイブンデータ検査用トランジスタを形成する段階とを含むことを特徴とする請求項9に記載の液晶表示パネルの検査方法。 
【請求項１２】
前記複数のデータ検査用トランジスタが活性化されることにより前記液晶表示パネルの不良の有無を検査する段階をさらに含むことを特徴とする請求項9に記載の液晶表パネルの検査方法。
【請求項１３】
基板上に形成される複数のゲートラインと、前記ゲートラインと交差する複数のデータラインと、前記ゲートライン及びデータラインと各々接続される複数の画素用トランジスタと、前記ゲートライン及びデータラインの交差によって画定された領域内に形成され前記画素用トランジスタ各々と接続される複数の画素電極とを含む液晶表示パネルの製造方法において、
前記複数のデータラインを駆動するために駆動集積回路の実装領域内に形成される複数のデータ検査用トランジスタを形成する段階を含むことを特徴とする液晶表示パネルの製造方法。
【請求項１４】
前記複数のデータ検査用トランジスタを形成する段階は、前記データライン中オッドデータラインに接続されるオッドデータ検査用トランジスタと、前記データライン中イブンデータラインに接続されるイブンデータ検査用トランジスタを形成する段階を含むことを特徴とする請求項13に記載の液晶表示パネルの製造方法。
【手続補正２】
【補正対象書類名】明細書
【補正対象項目名】００１１
【補正方法】変更
【補正の内容】
【００１１】
ここで、前記実装領域は駆動集積回路チップが収容されるように形成されることが好ましい。
前記複数個のデータ検査用トランジスタは、前記液晶表示パネルに駆動集積回路が実装される場合、ターンオフされることが好ましい。
前記複数個のデータ検査用トランジスタは、前記データラインを駆動するために形成される前記駆動集積回路が前記液晶表示パネルに実装される場合、ターンオフされることが好ましい。
前記複数個のデータ検査用トランジスタは、前記駆動集積回路が前記液晶表示パネルに固定されるとき、ターンオフされることが好ましい。
一方、前記複数個のデータ検査用トランジスタは、前記データライン中オッド（ｏｄｄ）データラインに接続されるオッドデータ検査用トランジスタと、前記データライン中イブン（ｅｖｅｎ）データラインに接続されたイブンデータ検査用トランジスタとを含むことが好ましい。
前記液晶表示パネルは、前記ゲートラインと接続される複数のゲート検査トランジスタをさらに具備することが好ましい。
前記ゲートラインを順次に駆動させるために前記基板に形成されるゲート駆動部をさらに具備することが好ましい。
【手続補正３】
【補正対象書類名】明細書
【補正対象項目名】００１３
【補正方法】変更
【補正の内容】
【００１３】
前記液晶表示パネルに画像が具現される間、前記複数のデータ検査用トランジスタは、非活性化（ｄｅａｃｔｉｖａｔｅ）されることが好ましい。
前記液晶表示パネルを備える段階は、前記データ検査用トランジスタを形成する段階を含み、前記データ検査用トランジスタを形成する段階は、前記データライン中オッドデータラインに接続されるオッドデータ検査用トランジスタを形成する段階と、前記データライン中イブンデータラインに接続されるイブンデータ検査用トランジスタを形成する段階とを含むことが好ましい。
前記複数のデータ検査用トランジスタが活性化されることにより前記液晶表示パネルの不良の有無を検査する段階をさらに含むことが好ましい。
【手続補正４】
【補正対象書類名】明細書
【補正対象項目名】００１５
【補正方法】変更
【補正の内容】
【００１５】
前記複数のデータ検査用トランジスタを形成する段階は、前記データライン中オッドデータラインに接続されるオッドデータ検査用トランジスタと、前記データライン中イブンデータラインに接続されるイブンデータ検査用トランジスタを形成する段階を含むことが好ましい。
【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
基板、
該基板上に配置され、第１副画素電極と第２副画素電極とを含む画素電極及び
該画素電極に対向する共通電極を備え、
前記第１副画素電極は、互いに平行な一対の屈曲した辺を有し、
前記第２副画素電極は、互いに平行な一対の屈曲した辺を有し、かつ前記第１副画素電極の高さより高い液晶表示装置。
【請求項２】
前記第１副画素電極が前記第２副画素電極に、長さ方向で隣接している請求項１に
記載の液晶表示装置。
【請求項３】
前記第１副画素電極が前記第２副画素電極に、高さ方向で隣接している請求項１に
記載の液晶表示装置。
【請求項４】
前記第１副画素電極の屈曲した辺と前記第２副画素電極の屈曲した辺とでは屈曲方向が
異なる請求項３に記載の液晶表示装置。
【請求項５】
前記第１副画素電極の長さが前記第２副画素電極の長さと等しい請求項１に記載の液晶表示装置。
【請求項６】
前記第２副画素電極の高さが前記第１副画素電極高さの２倍である請求項５に記載
の液晶表示装置。
【請求項７】
前記一対の屈曲した辺の屈曲点間を結ぶ直線に対し、前記第１副画素電極と前記第２副
画素電極との各々が対称である請求項１に記載の液晶表示装置。
【請求項８】
前記一対の屈曲した辺が凹辺と凸辺とを含み、前記第１副画素電極の凸辺が前記第２副画素電極の凹辺に隣接するか、前記第１副画素電極の凹辺が前記第２副画
素電極の凸辺に隣接している請求項１に記載の液晶表示装置。
【請求項９】
前記一対の屈曲した辺が凹辺と凸辺とを含み、前記第１副画素電極の凹辺と前記第２副画素電極の凸辺とが連続的に配置され、かつ、前記第１副画素電極の凸辺と前記第２副画素電極の凹辺とが連続的に配置されている請求項１に記載の液晶表示装置。
【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
ベース部材と、
前記ベース部材の互いに異なる領域のそれぞれに形成された複数の金属格子を有する偏光−カラーフィルター部材と、
前記金属格子をカバーする保護層とを含み、
前記金属格子のそれぞれは、領域別に互いに異なるサイズを有し、入射される光のうちの一部は透過させ、残りは反射することを特徴とするハイブリッド型偏光子。
【請求項２】
前記保護層の屈折率は、前記ベース部材の屈折率と同じである請求項１記載のハイブリッド型偏光子。
【請求項３】
前記金属格子は、アルミニウムを含む請求項１又は２記載のハイブリッド型偏光子。
【請求項４】
前記偏光−カラーフィルター部材は、
前記ベース部材の第１領域に形成され、レッド光の第１偏光成分を透過し、レッド光の第２偏光成分と、グリーン光の第１及び第２偏光成分と、ブルー光の第１及び第２偏光成分を反射するレッド金属格子部と、
前記ベース部材の第２領域に形成され、グリーン光の第１偏光成分を透過し、グリーン光の第２偏光成分と、レッド光の第１及び第２偏光成分と、ブルー光の第１及び第２偏光成分を反射するグリーン金属格子部と、
前記ベース部材の第３領域に形成され、ブルー光の第１偏光成分を透過し、ブルー光の第２偏光成分と、レッド光の第１及び第２偏光成分と、グリーン光の第１及び第２偏光成分を反射するブルー金属格子部とを含み、
前記第１偏光成分は、前記偏光−カラーフィルター部材に垂直する電場を有し、前記第２偏光成分は、前記偏光−カラーフィルター部に平行する電場を有する請求項１から３のいずれか１つに記載のハイブリッド型偏光子。
【請求項５】
前記レッド金属格子部は、実質的に３３０ｎｍのピッチと、実質的に２６４ｎｍの幅と、実質的に１００ｎｍの高さを有し、
前記グリーン金属格子部は、実質的に２２０ｎｍのピッチと、実質的に１６５ｎｍの幅と、実質的に１００ｎｍの高さを有し、
前記ブルー金属格子部は、実質的に２００ｎｍのピッチと、実質的に１５０ｎｍの幅と、実質的に８０ｎｍの高さを有する請求項４記載のハイブリッド型偏光子。
【請求項６】
第１から第３領域のそれぞれに互いに異なるサイズを有する複数のパターンを有するマスターモールドを提供する段階と、
基板上に金属層を蒸着する段階と、
前記蒸着された金属層上にポリマー層を形成する段階と、
前記ポリマー層に前記マスターモールドのパターンを転写する段階と、
前記マスターモールドのパターンが転写されたポリマー層をマスクとして前記金属膜をエッチングする段階とを含み、
前記マスターモールドは、前記第１領域に形成され、第１偏光成分の第１光は透過し、第２偏光成分の第１光と、残り光は反射させる第１パターンを含むことを特徴とするハイブリッド型偏光子の製造方法。
【請求項７】
前記第１から第３領域のそれぞれに形成されたパターンのうち、一つの領域に形成されたパターンは、他の領域に形成されたパターンのサイズより小さい請求項６記載のハイブリッド型偏光子の製造方法。
【請求項８】
第１から第３領域のそれぞれに互いに異なるサイズを有して突出されるように形成された複数の突出部を有するマスターモールドを提供する段階と、
基板上にポリマー層を形成する段階と、
前記ポリマー層に前記マスターモールドのパターンを転写する段階と、
前記マスターモールドのパターンが転写されたポリマー層に金属層を蒸着する段階と、
前記蒸着された金属層を化学機械的研磨（ＣＭＰ）又はウェットエッチングで平坦化して、前記ポリマー層の一部を露出させる段階と、
前記ポリマー層又は金属層上に保護膜をコーティングする段階とを含むことを特徴とするハイブリッド型偏光子の製造方法。
【請求項９】
光を出射するバックライトユニットと、
前記バックライトユニット上に配置され、２つの基板とその間に介在された液晶層を利用して画像を表示する液晶パネルと、
ベース部材及び前記ベース部材上の互いに異なる領域のそれぞれに形成された複数の金属格子を有する偏光−カラーフィルター部材を含み、前記バックライトユニットと液晶パネルとの間に介在されたハイブリッド型偏光子とを含み、
前記金属格子のそれぞれは、領域別に互いに異なるサイズを有して、前記バックライトユニットから出射された光のうちの一部は液晶パネルに透過させ、残りは前記バックライトユニットに反射させ、
前記バックライトユニットは、前記ハイブリッド型偏光子で反射される前記残り光を前記ハイブリッド型偏光子に反射する反射板を含むことを特徴とする表示装置。
【請求項１０】
前記ハイブリッド型偏光子は、前記液晶パネルの背面に一体に形成される請求項９記載の表示装置。
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
ゲートオン電圧を伝達する複数のゲート線と、
第１及び第２正規映像データ電圧とインパルシブデータ電圧を伝達する複数のデータ線と、
前記ゲート線及び前記データ線に接続されており、第１及び第２副画素電極を含む複数の画素と、
前記ゲート線に接続されて前記ゲートオン電圧を印加するゲート駆動部と、
前記データ線に接続されて前記第１及び第２正規映像データ電圧と前記インパルシブデータ電圧を印加するデータ駆動部と、
を含み、
前記第１副画素電極と前記第２副画素電極に各々印加される前記第１及び第２正規映像データ電圧は１つの映像情報から得られて互いに異なり、
前記インパルシブデータ電圧は、前記第１及び第２副画素電極のうちのいずれか１つに印加される液晶表示装置。
【請求項２】
前記第１正規映像データ電圧は前記第２正規映像データ電圧より大きく、前記第１副画素電極の面積は前記第２副画素電極の面積より小さい、請求項１に記載の液晶表示装置。
【請求項３】
Ｍ個の束の映像情報を受けて各Ｍ個の束の第１及び第２正規映像データに変換し、１つの束のインパルシブデータを生成して前記第１及び第２正規映像データ及び前記インパルシブデータを前記データ駆動部に伝送する信号制御部をさらに含む（Ｍは自然数）、請求項１に記載の液晶表示装置。
【請求項４】
前記第１及び第２副画素電極に各々接続されている第１及び第２スイッチング素子をさらに含み、
前記ゲート線は前記第１及び第２スイッチング素子に各々接続されている第１及び第２ゲート線を含む、請求項１に記載の液晶表示装置。
【請求項５】
前記第１及び第２副画素電極に各々接続されている第１及び第２スイッチング素子をさらに含み、
前記データ線は前記第１及び第２スイッチング素子に各々接続されている第１及び第２データ線を含む、請求項１に記載の液晶表示装置。
【請求項６】
第１及び第２副画素電極を含む複数の画素を含む液晶表示装置の駆動方法であって、
前記第１及び第２副画素電極に第１及び第２正規映像データ電圧を各々印加する段階と、
前記第１及び第２副画素電極のうちのいずれか１つにインパルシブデータ電圧を印加する段階と、
を含み、前記第１及び第２正規映像データ電圧は、１つの映像情報から得られるとともに互いに異なることを特徴とする液晶表示装置の駆動方法。
【請求項７】
Ｍ個の束の映像情報を受けて各Ｍ個の束の第１及び第２正規映像データに変換し、１つの束のインパルシブデータを生成する段階と、
前記第１及び第２正規映像データと前記インパルシブデータを前記第１及び第２正規映像データ電圧と前記インパルシブデータ電圧に各々変換する段階と、
をさらに含む（Ｍは自然数）、請求項６に記載の液晶表示装置の駆動方法。
【請求項８】
前記第１及び第２正規映像データ電圧印加段階は、
互いに異なる第１及び第２階調電圧集合を生成する段階と、
前記第１及び第２階調電圧集合から前記第１及び第２正規映像データ電圧を各々選択する段階と、
を含む、請求項６に記載の液晶表示装置の駆動方法。
【請求項９】
前記第１及び第２正規映像データ電圧印加段階は、第１番目Ｍ個の画素行の第１及び第２副画素電極に前記第１番目Ｍ個の画素行の第１及び第２正規映像データ電圧を交互であって順に各々印加する段階を含み、
前記インパルシブデータ電圧印加段階は、第２番目Ｍ個の画素行の第２副画素電極に前記インパルシブデータ電圧を同時に印加する段階を含む（Ｍは自然数）、請求項６に記載の液晶表示装置の駆動方法。
【請求項１０】
前記第１及び第２正規映像データ電圧印加段階は、第１番目画素行の第１及び第２副画素電極に前記第１番目画素行の第１及び第２正規映像データ電圧を各々印加する段階を含み、
前記インパルシブデータ電圧印加段階は、第２画素行の第１及び第２副画素電極に前記第２画素行の第１正規映像データ電圧及び前記インパルシブデータ電圧を各々印加する段階を含む、請求項６に記載の液晶表示装置の駆動方法。